【手続補正書】
【提出日】平成30年11月9日(2018.11.9)
【手続補正１】
【補正対象書類名】特許請求の範囲
【補正対象項目名】全文
【補正方法】変更
【補正の内容】
【特許請求の範囲】
【請求項１】
固体電解質と、
第１の温度（Ｔ１）および第２の温度（Ｔ２）の間の電池の温度範囲にわたって、１つの内部抵抗レベル（Ｒ１）で前記電池を動作させる、少なくとも２つの端子と、
Ｔ１またはＴ２どちらかの範囲外では第２の内部抵抗レベル（Ｒ２）で前記電池を動作させる、少なくとも１つの高抵抗端子と、
前記電池のセル内の少なくとも１つの抵抗体シートであって、前記少なくとも１つの抵抗体シートが、少なくとも２つのタブを有するように構成され、一方のタブが、Ｒ１で前記電池を動作させるために、前記少なくとも２つの端子の１つに電気的に接続され、他方のタブが、前記少なくとも１つの高抵抗端子に電気的に接続される、少なくとも１つの抵抗体シートと、
前記電池の前記温度がＴ１またはＴ２どちらかの範囲外のときにＲ２を活性化するスイッチとを備える、全固体リチウム電池。
【請求項２】
Ｔ１が両端を含む２０℃から６０℃の値であり、Ｔ２が両端を含む８０℃から１２０℃の値である、請求項１に記載の全固体リチウム電池。
【請求項３】
前記少なくとも１つの抵抗体シートが、グラファイト、高配向性熱分解グラファイト（ＨＯＰＧ）、ステンレス鋼、ニッケル、クロム、ニクロム、銅、アルミニウム、チタン、またはそれらの組み合わせで作られる、請求項１に記載の全固体リチウム電池。
【請求項４】
前記少なくとも１つの抵抗体シートが１マイクロメートルから１５０マイクロメートルの厚さを有する、請求項１に記載の全固体リチウム電池。
【請求項５】
電極および前記固体電解質を含むスタックを備え、前記少なくとも１つの抵抗体シートが前記スタック内に挟まれる、請求項１に記載の全固体リチウム電池。
【請求項６】
前記少なくとも１つの抵抗体シートが、０．１から５の数値をアンペア時間（Ａｈ）での前記電池の容量で割ったものに等しい、オーム単位の抵抗を有する、請求項１に記載の全固体リチウム電池。
【請求項７】
前記少なくとも１つの抵抗体シートが、大きい表面積を有する平面であり、前記電池の前記セル内の構成要素と直接接触している、請求項１に記載の全固体リチウム電池。
【請求項８】
前記少なくとも１つの高抵抗端子が追加の負端子である、請求項１に記載の全固体リチウム電池。
【請求項９】
前記少なくとも１つの高抵抗端子が追加の正端子である、請求項１に記載の全固体リチウム電池。
【請求項１０】
前記スイッチが、温度コントローラによって駆動され、Ｒ１で前記電池を動作させる前記端子と、Ｒ２で前記電池を動作させる前記端子との間で切り替わるように構成される、請求項１に記載の全固体リチウム電池。
【請求項１１】
前記スイッチが、熱的に自己活性化されて、Ｒ１で前記電池を動作させる前記端子とＲ２で前記電池を動作させる前記端子との間で切り替わる、請求項１に記載の全固体リチウム電池。
【請求項１２】
前記自己活性化スイッチが、Ｔ１もしくはＴ２もしくは両方で相転移および相当の体積変化を起こす位相変化材料、バイメタルスイッチ、または温度Ｔ１もしくはＴ２もしくは両方で体積が相当拡張する固体材料の中から選択されたスイッチである、請求項１１に記載の全固体リチウム電池。
【請求項１３】
前記スイッチが、電気機械式継電器および温度コントローラ、または温度センサを備えた固体継電器、温度センサを備えたパワーＭＯＳＦＥＴ、または温度センサを備えた高電流スイッチから成る、請求項１に記載の全固体リチウム電池。
【請求項１４】
前記電池が、パウチ、円筒状、角柱状、または角がある形態を有する、請求項１に記載の全固体リチウム電池。
【請求項１５】
請求項１から１４のいずれか一項に記載の全固体リチウム電池と、Ｒ１での前記電池の動作とＲ２での前記電池の動作との間で切り替わることができるコントローラとを備える、電池システム。
【請求項１６】
Ｔ１および／またはＴ２を判断する温度センサをさらに備える、請求項１５に記載の電池システム。
【請求項１７】
前記少なくとも１つの高抵抗端子が、前記電池のセルに埋め込まれた少なくとも１つの抵抗体シートに電気的に接続され、前記システムが、前記少なくとも１つの抵抗体シートに電力供給する補助電池をさらに備える、請求項１５に記載の電池システム。
【請求項１８】
前記システムが、セルの１つ以上の部分群の形で配置された複数の電気化学貯蔵セルを備え、セルの各部分群が１つ以上の抵抗体シートを有し、セルの各部分群が、前記１つ以上の抵抗体シートに電流を流して高抵抗状態を形成することができる、または前記１つ以上の抵抗体シートを迂回するように電流を流して低抵抗状態を形成することができる、１つ以上のスイッチを有する、請求項１５に記載の電池システム。
【請求項１９】
請求項１に記載の全固体リチウム電池を動作させる方法であって、Ｔ１およびＴ２にわたってＲ１となる前記電池を備え、前記スイッチを活性化することによって、Ｔ１もしくはＴ２どちらかの範囲外で前記電池をＲ２で動作させるステップを含む、方法。
【請求項２０】
前記電池温度がＴ１未満またはＴ２超過のときは、前記スイッチが開いて前記電池をＲ２で動作させる、請求項１９に記載の方法。
【請求項２１】
前記電池温度がＴ１およびＴ２の間のときは、前記スイッチが閉じて前記電池をＲ１で動作させる、請求項１９に記載の方法。
【請求項２２】
請求項１に記載の全固体リチウム電池を動作させる方法であって、Ｔ１およびＴ２にわたってＲ１となる前記電池を備え、前記スイッチを活性化することによって、Ｔ１もしくはＴ２どちらかの範囲外で前記電池をＲ２で動作させるステップを含み、前記電池をＲ２で動作させるステップが、定電圧定電流（ＣＶＣＣ）サイクルを適用して前記電池を昇温するステップを含む、方法。
【請求項２３】
前記定電圧が０．２から１Ｖに設定され、電流限界が１Ｃから１０Ｃに設定される、請求項２２に記載の方法。
【請求項２４】
少なくとも１つのカソード電極、少なくとも１つのアノード電極、およびそれらの間の少なくとも１つの固体電解質を有する少なくとも１つのセルと、
電池内の少なくとも１つの抵抗体のシートであって、前記抵抗体は、少なくとも２つのタブを有し、一方のタブが、前記電池の低抵抗端子に電気的に接続され、他方のタブが、前記電池の高抵抗端子に電気的に接続される、抵抗体のシートとを備える、全固体リチウム電池。
【請求項２５】
前記アノードがリチウム金属を含む、請求項２４に記載の全固体リチウム電池。
【請求項２６】
前記カソードが硫黄または硫黄とカーボンの複合物を含む、請求項２４に記載の全固体リチウム電池。
【請求項２７】
前記少なくとも１つの抵抗体シートが、前記少なくとも１つのカソード電極または少なくとも１つのアノード電極のどちらかに直接接触する、請求項２４に記載の全固体リチウム電池。
【請求項２８】
前記電池が、並列または直列で電気的に接続された、複数の前記少なくとも１つのセルをさらに備える、請求項２４から２７のいずれか一項に記載の全固体リチウム電池。
【手続補正２】
【補正対象書類名】明細書
【補正対象項目名】００４８
【補正方法】変更
【補正の内容】
【００４８】
例えば、図３Ｂは、負端子（３３２）と、正端子（３３０）と、スイッチ（３２０）と、直列で電気的に接続された複数のセル（３０６ａから３０６ｉ）および抵抗体シート（３０８ａから３０８ｉ）とを有する、全固体リチウム電池システム（３０１）を概略的に示している。図面に示されるように、第１のセル（３０６ａ）の正端子（３０２ａ）は正端子３３０に電気的に接続される。第１のセル（３０６ａ）の負端子（３０４ａ）は、別のセル（３０６ｉ）の正端子（３０２ｉ）に電気的に接続される。セルはそれぞれ、カソード電極、アノード電極、および固体電解質（例証の便宜上、図示なし）を含むことができる。さらに、電池パックは、任意の数、例えば約３から約２００個のセルと、最初のセルと最後のセルとの間で直列に接続された任意の数の抵抗体シートとを含むことができる。抵抗体シートの端子（３１２ａから３１０ｉ）も直列で電気的に接続される。スイッチ３２０は、抵抗器タブ３１０ａおよび３１２ｉを介して、抵抗体シート（３０８ａから３０８ｉ）に並列で電気的に接続される。スイッチ３２０はまた、負端子３３２に電気的に接続される。
【手続補正３】
【補正対象書類名】明細書
【補正対象項目名】００５５
【補正方法】変更
【補正の内容】
【００５５】
第１の部分群（部分群Ａ）の負端子（５０４ａ）は、電池を負荷に接続する負端子（５３２）に電気的に接続され、最終部分群（部分群Ｉ）の正端子（５０２ｉ）は、電池を負荷に接続する正端子（５３０）に電気的に接続される。部分群はそれぞれ、１つの部分群からの正端子を別の部分群の負端子に電気的に接続すること（即ち、端子５０２ａを５０４ｂに電気的に接続するなど）によって、直列で電気的に接続される。